【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
記録装置と無線通信可能な制御装置であって、
前記記録装置を制御するための制御データを生成して論理ポートに設定し、前記論理ポートに設定された前記制御データに対して所定のインターフェイスの規格に対応した処理を施して、当該論理ポートと対応付けられた仮想ポートに出力する記録制御部と、
前記仮想ポートに入力された前記制御データを無線通信の規格に準拠して変換し、前記仮想ポートに対応する前記記録装置に無線により送信する一方、前記仮想ポートに対応する前記記録装置から無線により受信した受信データに前記所定のインターフェイスの規格に対応した処理を施して、前記論理ポートに出力する通信制御部と、
通信可能な前記記録装置を検出する記録装置検出部と、
前記記録装置検出部により検出された前記記録装置について、当該検出された前記記録装置に対応する前記仮想ポートと、前記論理ポートとの対応付けを行い、当該検出された前記記録装置との間で無線通信が可能な状態とするポート切替部と、
を備えることを特徴とする制御装置。
【請求項２】
前記仮想ポートと、前記仮想ポートに対応する前記記録装置の識別情報とを対応付けて記憶する記憶部を備え、
前記ポート切替部は、
前記記録装置検出部により検出された前記記録装置について、当該識別情報を取得し、
取得した識別情報と対応付けて記憶されている前記仮想ポートと、前記論理ポートとの対応付けを行うことを特徴とする請求項１に記載の制御装置。
【請求項３】
前記記録装置検出部により検出された前記記録装置について、所定の認識を行い、当該記録装置の前記仮想ポートを生成して登録するペアリングを実行する自動ペアリング実行部をさらに備えることを特徴とする請求項１又は２に記載の制御装置。
【請求項４】
前記自動ペアリング実行部は、
前記ペアリングの実行に際し、生成した前記仮想ポートを、対応する前記識別情報と対応付けて登録する一方、
前記記録装置検出部により検出された前記記録装置について、当該識別情報を取得し、
取得した識別情報、及び、登録された識別情報に基づいて、当該記録装置の前記仮想ポートの登録がされているか否かを判別し、登録されていない場合、前記ペアリングを実行することを特徴とする請求項３に記載の制御装置。
【請求項５】
前記記録装置検出部は、受信信号強度に基づいて通信可能な前記記録装置を
検出し、
動作モードとして、
前記記録装置検出部により、最も値の大きい受信信号強度に係る前記記録装置が切り替わったことが検出された場合、又は、受信信号強度の値が所定の閾値を上回る前記記録装置が出現したことが検出された場合に、前記ポート切替部により、最も値の大きい受信信号強度に係る前記記録装置に対応する、又は、前記所定の閾値を上回る値の受信信号強度に係る前記記録装置に対応する前記仮想ポートと、前記論理ポートとの対応付けを行う動作モードと、
所定の指示入力があった場合に、前記記録装置検出部により、通信可能な前記記録装置を検出すると共に、前記ポート切替部により、前記記録装置検出部により検出された前記記録装置に対応する前記仮想ポートと、前記論理ポートとの対応付けを行う動作モードと、を少なくとも備えることを特徴とする請求項１ないし４のいずれかに記載の制御装置。
【請求項６】
前記記録装置検出部は、受信信号強度に基づいて通信可能な前記記録装置を検出し、
前記記録装置検出部により、所定の閾値を上回る値の受信信号強度に係る前記記録装置が２以上検出された場合、いずれか１つの前記記録装置を選択可能な態様でその旨報知する報知部をさらに備えることを特徴とする請求項１ないし５のいずれかに記載の制御装置。
【請求項７】
記録装置と無線通信可能な制御装置の制御方法であって、
前記記録装置を制御するための制御データを生成して論理ポートに設定し、前記論理ポートに設定された前記制御データに対して所定のインターフェイスの規格に対応した処理を施して、当該論理ポートと対応付けられた仮想ポートに出力し、
前記仮想ポートに入力された前記制御データを無線通信の規格に準拠して変換し、前記仮想ポートに対応する前記記録装置に無線により送信する一方、前記仮想ポートに対応する前記記録装置から無線により受信した受信データに前記所定のインターフェイスの規格に対応した処理を施して、前記論理ポートに出力し、
通信可能な前記記録装置を検出し、
検出した前記記録装置について、当該検出された前記記録装置に対応する前記仮想ポートと、前記論理ポートとの対応付けを行い、当該検出された前記記録装置との間で無線通信が可能な状態とすることを特徴とする制御装置の制御方法。
【請求項８】
前記仮想ポートと、前記仮想ポートに対応する前記記録装置の識別情報とを対応付けて記憶し、
検出された前記記録装置について、当該識別情報を取得し、取得した識別情報と対応付けて記憶されている前記仮想ポートと、前記論理ポートとの対応付けを行うことを特徴とする請求項７に記載の制御装置の制御方法。
【請求項９】
検出された前記記録装置について、所定の認識を行い、当該記録装置の前記仮想ポートを生成して登録するペアリングを実行することを特徴とする請求項７に記載の制御装置の制御方法。
【請求項１０】
前記ペアリングの実行に際し、生成した前記仮想ポートを、対応する前記識別情報と対応付けて登録する一方、
検出された前記記録装置について、当該識別情報を取得し、取得した識別情報、及び、登録された識別情報に基づいて、当該記録装置の前記仮想ポートの登録がされているか否かを判別し、登録されていない場合、前記ペアリングを実行することを特徴とする請求項９に記載の制御装置の制御方法。
【請求項１１】
受信信号強度に基づいて通信可能な前記記録装置を検出し、
動作モードとして、
最も値の大きい受信信号強度に係る前記記録装置が切り替わったことが検出された場合、又は、受信信号強度の値が所定の閾値を上回る前記記録装置が出現したことが検出された場合に、最も値の大きい受信信号強度に係る前記記録装置に対応する、又は、前記所定の閾値を上回る値の受信信号強度に係る前記記録装置に対応する前記仮想ポートと、前記論理ポートとの対応付けを行う動作モードと、
所定の指示入力があった場合に、通信可能な前記記録装置を検出すると共に、前記記録装置により検出された前記記録装置に対応する前記仮想ポートと、前記論理ポートとの対応付けを行う動作モードと、を少なくとも備えることを特徴とする請求項７に記載の制御装置の制御方法。
【請求項１２】
受信信号強度に基づいて通信可能な前記記録装置を検出し、
所定の閾値を上回る値の受信信号強度に係る前記記録装置が２以上検出された場合、いずれか１つの前記記録装置を選択可能な態様でその旨報知することを特徴とする請求項７に記載の制御装置の制御方法。
【請求項１３】
記録装置と無線通信可能な制御装置の各部を制御する制御部により実行されるプログラムであって、
前記制御部を、
前記記録装置を制御するための制御データを生成して論理ポートに設定し、前記論理ポートに設定された前記制御データに対して所定のインターフェイスの規格に対応した処理を施して、当該論理ポートと対応付けられた仮想ポートに出力する記録制御部と、
前記仮想ポートに入力された前記制御データを無線通信の規格に準拠して変換し、前記仮想ポートに対応する前記記録装置に無線により送信する一方、前記仮想ポートに対応する前記記録装置から無線により受信した受信データに前記所定のインターフェイスの規格に対応した処理を施して、前記論理ポートに出力する通信制御部と、
通信可能な前記記録装置を検出する記録装置検出部と、
前記記録装置検出部により検出された前記記録装置について、当該検出された前記記録装置に対応する前記仮想ポートと、前記論理ポートとの対応付けを行い、当該検出された前記記録装置との間で無線通信が可能な状態とするポート切替部と、
として機能させることを特徴とするプログラム。
【手続補正２】
【補正対象書類名】明細書
【補正対象項目名】００１７
【補正方法】変更
【補正の内容】
【００１７】
プリンター１１は、感熱ロール紙を収容し、サーマルヘッド２０によって感熱ロール紙に画像を記録し、カッターユニット２１によって所定の位置で感熱ロール紙を切断することにより、荷物を届けた顧客に渡す伝票等の紙片を発行可能なサーマル式の記録装置である。
図２に示すように、プリンター１１は、プリンター側制御部２２と、プリンター側記憶部２３と、プリンター側無線通信部２４と、メカ機構２５と、を備えている。
プリンター側制御部２２は、ＣＰＵや、ＲＯＭ、ＲＡＭ、その他の周辺回路等を備え、プリンター１１の各部を中枢的に制御する。プリンター側記憶部２３は、ＥＥＰＲＯＭ等の不揮発性メモリーを備え、各種データを不揮発的に、書き換え可能に記憶する。プリンター側無線通信部２４は、プリンター側制御部２２の制御の下、ホストコンピューター１０との間でBluetoothの規格に準拠した無線通信を行う。メカ機構２５は、上述したサーマルヘッド２０、及び、カッターユニット２１のほか、搬送機構２６を含んで構成されている。紙片の発行に際し、プリンター側制御部２２は、インストールされているファームウェアを読み出して実行することにより、搬送機構２６によって感熱ロール紙を搬送しつつ、サーマルヘッド２０によって画像を記録し、カッターユニット２１によって感熱ロール紙を切断する。